(57)【特許請求の範囲】
【請求項１】
煙草着火用のライターであって、
燃料を貯蔵する貯蔵部と該燃料を点火手段により着火し燃焼させる燃焼部とを備えるライター本体と、
線状の金属で星形、ハート形及び丸型の何れか一の形状に形成され、前記燃焼部から出る炎の上方かつ前記ライター本体から突き出した位置であって、当該ライターの側面方向外側から視認可能である位置に配置され、前記炎によって加熱される煙草着火部と、を有し、
前記炎によって加熱された前記煙草着火部に前記煙草を接触させることによって該煙草を着火させることを特徴とするライター。
【請求項２】
前記煙草着火部が、前記ライター本体の内部に格納可能であり、
前記ライター本体の側面に、前記煙草着火部の出し入れ操作を行う格納操作部を有することを特徴とする請求項１に記載のライター。
【請求項３】
前記煙草着火部が、前記燃焼部が備える前記燃料吹き出し口付近に設置される触媒とは別に設置されることを特徴とする請求項１又は２に記載のライター。
【請求項４】
前記煙草着火部が、前記炎で加熱され、前記煙草に着火することができる程度の熱伝導率を有する金属であることを特徴とする請求項１乃至３の何れか一に記載のライター。
【発明の詳細な説明】
【技術分野】
【０００１】
煙草に着火するためのライターの技術に関する。
【背景技術】
【０００２】
ライターとは、対象物に火をつけるための装置であり、携帯用ライターでは燃焼式のものが主流である。
ライターには種々の用途があるが、小型のライターは主に煙草に着火するために用いられる。
近年、種々の要因を背景に喫煙者は減少傾向にあるものの、煙草着火用のライターについては、技術的及び意匠的な研究・開発が盛んに行われている。
【０００３】
例えば、特許文献１及び２では、ガス等の燃料を放出する燃料吹き出し口付近に、炎の着火容易性や持続性の向上を図るために白金等の触媒が配置されるライターについて開示されている。
【先行技術文献】
【特許文献】
【０００４】
【特許文献１】特開平６−２８８５４６号公報
【特許文献２】実開平５−９０１５６号公報
【発明の概要】
【発明が解決しようとする課題】
【０００５】
しかしながら、ライターは操作者が自身の煙草に着火する場面だけでなく、操作者が他者の煙草に着火する場面も想定されるところ、上記従来技術においては、当該他者に対し、煙草に着火してもらうという印象以上のものを与えることができないという問題点があった。
【０００６】
また、ライターの炎はその外縁が見え難く、さらに、風などの外部環境によっては炎が揺れる場合もあり、着火するときの煙草の位置を決め難いという問題点があった。
【０００７】
そこで本発明では、上記従来技術の問題点に鑑み、操作者が他者の煙草に着火する際、当該他者に対し、煙草に着火してもらうという印象以上の驚きを与えると共に、着火動作も容易なライターを提案することを目的とする。
【課題を解決するための手段】
【０００８】
開示するライターの一形態は、煙草着火用のライターであって、燃料を貯蔵する貯蔵部と該燃料を点火手段により着火し燃焼させる燃焼部とを備えるライター本体と、線状の金属で星形、ハート形及び丸型の何れか一の形状に形成され、前記燃焼部から出る炎の上方かつ前記ライター本体から突き出した位置であって、当該ライターの側面方向外側から視認可能である位置に配置され、前記炎によって加熱される煙草着火部と、を有し、前記炎によって加熱された前記煙草着火部に前記煙草を接触させることによって該煙草を着火させることを特徴とする。
【０００９】
また、開示するライターの一形態は、上記構成に加え、前記煙草着火部が、前記ライター本体の内部に格納可能であり、前記ライター本体の側面に、前記煙草着火部の出し入れ操作を行う格納操作部を有することを特徴とする。
【００１０】
また、開示するライターの一形態は、上記構成に加え、前記煙草着火部が、前記燃焼部が備える前記燃料吹き出し口付近に設置される触媒とは別に設置されることを特徴とする。
【００１１】
また、開示するライターの一形態は、上記構成に加え、前記煙草着火部が、前記炎で加熱され、前記煙草に着火することができる程度の熱伝導率を有する金属であることを特徴とする。
【発明の効果】
【００１２】
開示するライターは、操作者が他者の煙草に着火する際、当該他者に対し、煙草に着火してもらうという印象以上の驚きを与えると共に、着火動作も容易である。
【図面の簡単な説明】
【００１３】
【図１】本実施の形態に係るライターの全体概要図である。
【図２】本実施の形態に係るライターの簡易断面図（状態：その１）である。
【図３】本実施の形態に係るライターの簡易断面図（状態：その２）である。
【発明を実施するための形態】
【００１４】
図面を参照しながら、本発明を実施するための形態について説明する。
（本実施の形態に係るライターの構造）
【００１５】
図１乃至３を用いて、本実施の形態に係るライター１の構造について説明する。図１はライター１全体の概要及びライター１の使用方法を示す図であり、図２及び３はライター１の簡略化した断面を示す図である。なお、図２は煙草着火部８がライター本体２の外部へ突出した状態を示し、図３は煙草着火部８がライター本体２の内部へ格納された状態を示す。
【００１６】
図１で示すように、ライター１は主に、煙草２０に着火することを目的とする器具である。図１で示すように、ライター１は、ライター本体２、煙草着火部８、格納操作部１２を有する。
ライター本体２は、一般的な燃焼式ライターと同様の機構（構造）を備える部位であり、貯蔵部４、燃焼部６、触媒１０、点火操作部１４を有する。
貯蔵部４は、可燃性ガス（ブタン等）などの燃料を貯蔵する部位である。
【００１７】
燃焼部６は、貯蔵部４に貯蔵される燃料を空気中に放出し、火花放電による点火などの点火手段によって、放出された燃料に着火し、燃料を燃焼させ炎を出す部位である。
【００１８】
触媒１０は、燃焼部６の燃料吹き出し口（例えば、ノズル形状の部位）付近に設置される、炎の着火容易性や持続性の向上を図るためのものである。触媒１０は、例えばフィラメント状に形成された白金（プラチナ）が用いられ、白金の触媒効果によって、ブタンガス混合気の発火点は、触媒が無い場合の４５０〜５５０℃から１９０℃へと下がる。それによって、炎が風等によって一旦吹き消えても、白金フィラメントが十分に加熱されていれば、自然発火によって再点火され、炎の持続性が向上する。
【００１９】
点火操作部１４は、ライター本体２に点火（着火）動作を行わせる操作部であり、具体的には、貯蔵部４に貯蔵される燃料の燃焼部６への供給を開始させ、点火手段によって外部放出された燃料に点火する動作を行わせる操作部である。
【００２０】
図１乃至３で示すように、煙草着火部８は、線状の金属で所定の形状に形成され、燃焼部６から出る炎の上方かつライター本体２から突き出した位置に配置され、燃焼部６から出る炎によって加熱される部位である。また、煙草着火部８は、燃焼部６から出る炎によって加熱させた後、煙草２０を接触させることによって煙草２０を着火させるための部位である。
【００２１】
図１乃至３では、星形に形成された煙草着火部８を図示しているが、ハート形や丸型など、煙草着火部８の形状は、目的・場面に応じ適宜変更されても良く、特定の形状に限られるものではない。
【００２２】
煙草着火部８は、線状の金属を所定の形状に加工したものであるが、煙草着火部８の「煙草２０を接触させることによって煙草２０を着火させる」という機能、加熱の容易さ、加熱後の冷め難さなどを考慮し、熱伝導率がある程度高い金属を材料とすることが好適である。
煙草着火部８は、触媒１０とは別の部材として配置されることが望ましい。
【００２３】
図２及び３で示すように、煙草着火部８は、ライター本体２の内部に格納することができ、煙草着火部８をライター本体２の内部へ入れたり、内部から出したりする動作は、格納操作部１２を操作することによって行われる。
【００２４】
図１乃至３で示すように、格納操作部１２は、ライター本体２の側面に配置され、例えば、格納操作部１２の上げ下げ動作に応じて煙草着火部８がライター本体２の内部へ入ったり、外部へ出たりする。
【００２５】
図１で示すように、ライター１は、煙草着火部８をライター本体２の外部へ突出させた状態で、点火操作部１４を操作することによって燃料に点火し、燃焼部６から炎を出す。煙草着火部８は、燃焼部６から出る炎によって加熱され、その後、加熱された煙草着火部８に煙草２０を接触させることによって煙草２０に着火する。
（総括）
【００２６】
ライター１は、煙草着火部８を、煙草２０に着火してもらう他者が驚くような形状とすることによって、操作者が他者の煙草２０に着火する際、当該他者に対し煙草２０に着火してもらうという印象以上の驚きを与えることができる。
【００２７】
ライター１は、煙草２０に着火させる部位が金属線で形成される煙草着火部８であるため、着火部位の視認が容易であり、また、風が強いなどの外部環境に左右されずに、煙草２０に着火することができる。
【００２８】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２９】
１    ライター
２    ライター本体
４    貯蔵部
６    燃焼部
８    煙草着火部
１０  触媒
１２  格納操作部
１４  点火操作部
２０  煙草
【要約】
【課題】
開示するライターは、操作者が他者の煙草に着火する際、当該他者に対し、煙草に着火してもらうという印象以上の驚きを与えると共に、着火動作も容易である。
【解決手段】
開示するライターの一形態は、煙草着火用のライターであって、燃料を貯蔵する貯蔵部と該燃料を点火手段により着火し燃焼させる燃焼部とを備えるライター本体と、線状の金属で所定の形状に形成され、前記燃焼部から出る炎の上方かつ前記ライター本体から突き出した位置に配置され、前記炎によって加熱される煙草着火部と、を有し、前記炎によって加熱された前記煙草着火部に前記煙草を接触させることによって該煙草を着火させることを特徴とする。
【選択図】図１【図１】
0005719469.tif 000002
【図２】
0005719469.tif 000003
【図３】
0005719469.tif 000004